(57)【要約】  自動車等を洗浄するためのブラシ１であって、ハンドル２と、水等の洗浄液を貯める区画室４と多くのブラシの房５とを有する本体３と、で構成される。通路７は、区画室４に液体を取り入れるものであり、該通路７は、ブラシを水に沈めた時に、区画室４に水が入り込むが、ブラシを水から出した時には、区画室４から水が出て行くのを止めるように、ゴム等の柔軟なシート９により覆われている。複数の通路１１ａは、洗浄用に、区画室４の液体をブラシの房５に排出する。通風孔１２は、水が区画室４に出入りする時に、該区画室４に空気が出入りできるようにする。
2005511181.tif 000002
【特許請求の範囲】
【請求項１】
対象物、特に自動車を洗浄するのに用いるブラシであって、
洗浄液を収容するための区画室を有する本体と、上記ブラシの第１表面に取り付けられた、ブラシ用剛毛や毛髪のような、磨き手段と、からなっており、
上記本体が、
上記区画室から洗浄液を流出させるための、少なくとも１つの第１の孔又は通路と、
洗浄液を上記区画室に導くために、上記本体の表面から上記区画室へ流体連通している、少なくとも１つの第２の孔又は通路と、を備えていることを特徴とするブラシ。
【請求項２】
上記本体が、上記区画室から上記第２の孔を通る洗浄液の流出を絞ったり妨げたりするための、洗浄液の流れ絞り手段を、上記第２の孔に、更に備えている、請求項１記載のブラシ。
【請求項３】
上記本体が、上記ブラシに着脱可能に取り付けられている、請求項１又は２に記載のブラシ。
【請求項４】
対象物、特に自動車を洗浄するのに用いるブラシであって、
洗浄液を収容するための区画室を有する本体と、上記本体の第１表面に取り付けられた、ブラシ用剛毛や毛髪のような、磨き手段と、からなっており、
上記本体が、
上記区画室から洗浄液を排出させるために、上記区画室と上記第１表面部分との間で流体連通している、少なくとも１つの第１の孔又は通路と、
洗浄液を上記区画室に導くために、上記本体の表面から上記区画室へ流体連通している、少なくとも１つの第２の孔又は通路と、を備えていることを特徴とするブラシ。
【請求項５】
上記本体が、上記区画室から上記第２の孔を通る洗浄液の流出を絞ったり妨げたりするための、洗浄液の流れ絞り手段を、上記第２の孔に、更に備えている、請求項４記載のブラシ。
【請求項６】
上記絞り手段が、逆止弁手段からなっている、請求項２，３又は５のいずれかに記載のブラシ。
【請求項７】
上記絞り手段が、ゴムのような弾性材料の板からなっており、該板は、上記第２の孔の内側開口より大きなサイズを有しており、かつ、力が加わっていない状態で上記開口を実質的に覆うように、一方の縁が上記開口付近の上記区画室の内壁に取り付けられている、請求項２，３，５又は６のいずれかに記載のブラシ。
【請求項８】
上記絞り手段が、板からなっており、該板は、上記第２の孔の内側開口より大きなサイズを有しており、かつ、洗浄液を上記第２の孔から上記区画室へ流す第１状態と、洗浄液が上記の第２の孔を通って上記区画室の外へ流出するのを禁止又は阻止する第２状態との間で、軸回りに回転するようになっている、請求項２，３，５又は６のいずれかに記載のブラシ。
【請求項９】
上記絞り手段が、上記第２の孔に配置された、ボール・弁座タイプの逆止弁からなっている、請求項２，３，５又は６のいずれかに記載のブラシ。
【請求項１０】
上記本体が、上記第１の孔を通って上記区画室に洗浄液が流入する時に、空気を上記区画室から排出させるための、少なくとも１つの第３の孔又は通路を備えており、上記本体は、洗浄液が上記第２の孔を通して流出する時に上記区画室内が低圧となるように、上記区画室への空気の流入を妨げたり禁止したりするための、内側流れ絞り手段、及び／又は、上記第３の孔を通して洗浄液が上記区画室外へ流出するのを妨げたり禁止したりするための、外側流れ絞り手段、を好ましくは備えている、上述のいずれかの請求項に記載のブラシ。
【請求項１１】
複数の上記第１の孔又は通路は、上記第１表面部分の面積における上記第１の孔又は通路の外側開口の面積が、上記第１表面部分の境界から内側になるにつれて増加するような、大きさに作られ、かつ、配置されている、請求項４乃至１０のいずれかに記載のブラシ。
【請求項１２】
上記剛毛や毛髪が、房状に設けられており、上記第１の孔又は通路の外側開口が、上記房の中又は近くに設けられている、請求項４乃至１１のいずれかに記載のブラシ。
【請求項１３】
上記房は、中央通路をその中に囲んでいるニップルやブッシングの環状隙間に、一端にて、固定されており、上記ニップルやブッシングは、上記中央通路を通って上記区画室から洗浄液が排出されるように、上記第１の孔又は通路の上記外側開口に設けられている、請求項１２記載のブラシ。
【請求項１４】
更に、石鹸や合成洗剤等の、クレンジング液、クレンジングペースト、又は、クレンジングパウダーといった追加材料を、好ましくは、洗浄液を収容している区画室に、連続して又は断続的に排出する、排出手段を、更に備えている、上述したいずれかの請求項に記載のブラシ。
【請求項１５】
上記排出手段が、上記追加材料を収容するための、柔軟で圧縮可能な容器を備えている、請求項１４記載のブラシ。
【請求項１６】
上記ブラシが、上記排出手段を受け入れるための凹部又はくぼみを有しており、該くぼみ又は凹部は、好ましくは上記房の１つの近くで、上記区画室の内部、又は、上記ブラシの外部に、連通している、請求項１４又は１５に記載のブラシ。
【請求項１７】
上記第２の孔は、本体の大きさに比べて比較的小さく、全通路の断面積が約５０ｃｍ２以下、より好ましくは４５ｃｍ２以下、より好ましくは４０ｃｍ２以下、より好ましくは３５ｃｍ２以下、より好ましくは３０ｃｍ２以下、より好ましくは２５ｃｍ２以下、より好ましくは２０ｃｍ２以下、より好ましくは１５ｃｍ２以下、そして、最も好ましくは１０ｃｍ２以下である、上記請求項のいずれかに記載のブラシ。
【請求項１８】
ブラシに着脱可能に取り付けられるようになっており、かつ、上記請求項のいずれかに記載の本体の特徴を備えている、本体。
【発明の詳細な説明】
【発明の詳細な説明】
【０００１】
本発明は、対象物、特に自動車のような物を洗浄する際に使用するブラシに関する。上記ブラシは、洗浄液を収容する区画室を有する本体と、上記ブラシの第１の表面に取り付けられるブラシ用剛毛や毛髪等の磨き手段とからなる。上記本体は、上記区画室の外に洗浄液を流出させる少なくとも１つの孔又は通路が設けられている。
【０００２】
この型のブラシでは、水は、接続されるホースから孔に導かれる。排出された水のほとんどは、無駄になり、好ましくない状況を作り出す。
【０００３】
ドイツ特許Ｎｏ.DE817134によれば、複数のパンの固まりの上に水を排出するブラシは、上記複数のパンの固まりの上に水をまくための孔に連通している貯水用区画室を持つ。ブラシを使用する際、区画室に水を満たし、ふたにより区画室を閉じ、水が漏れないようにする。このブラシは、水を区画室に満たすためにふたを外す必要があり、貯めた水を使用する際には、その都度、ふたを元に戻す必要があるため使いにくい。更に、この型のブラシは、傾斜した面を洗浄する場合、また、対象物を洗うために（ごしごしと）強く磨く動作が必要な場合に使用することができない。というのは、強く洗っている間、及び／又は、ブラシが斜めに傾いている場合には、ふたから水が流れ出てくるためである。
【０００４】
本発明の目的は、強く洗ったり、傾斜している面又は下に向いている面を洗う時に、無駄になる洗浄液をできるだけ少なくし、区画室への水の充填をより効果的に行うことができるブラシを提供することを目的とする。
【０００５】
本発明によれば、上記目的は、洗浄液を区画室に導くために、上記本体の表面から上記区画室へ流体連通している、少なくとも１つの第２の孔又は通路を備えた本体を用意することにより達成することができる。
【０００６】
該第２の孔は、本体の大きさに比べて比較的小さく、好ましくは、全通路の断面積が約５０ｃｍ２以下、より好ましくは約４５ｃｍ２以下、より好ましくは４０ｃｍ２以下、より好ましくは３５ｃｍ２以下、より好ましくは３０ｃｍ２以下、より好ましくは２０ｃｍ２以下、より好ましくは１５ｃｍ２以下、そして、最も好ましくは１０ｃｍ２以下にするべきである。
【０００７】
これにより、洗浄液を貯めている容器内にブラシを沈めるだけで、洗浄液を区画室に入れることができるが、区画室の外側への洗浄液の流量は、比較的小さな流通路の面積により低減される。
【０００８】
無駄になる洗浄液を更に減少すると共に、上記ブラシを傾斜面や垂直な面でも使用できるようにするため、上記本体は、上記区画室から第２の孔を通る洗浄液の流出を絞ったり妨げるための、洗浄液の流れ絞り手段を、第２の孔に、更に備えている。
【０００９】
これにより、第２の孔を通って区画室から無駄に流れ出る洗浄液を減少させることができ、該第２（排出）孔から、ほとんどの洗浄液を、予定通りに排出することができる。
【００１０】
好ましい実施例において、上記本体は、ブラシの重要な部分であるが、本発明によれば、上記本体は、上記ブラシから取り外せるようになっているものでもよい。これにより、標準のブラシを、洗浄液を出力するブラシに変換することができる。
【００１１】
好ましい実施例において、上記ブラシは、洗浄液を収容するための区画室を有する本体と、上記本体の第１表面に取り付けられた、ブラシ用剛毛や毛髪のような、磨き手段と、からなっており、上記本体が、上記区画室から洗浄液を排出させるために、上記区画室と上記第１表面部分との間で流体連通している少なくとも１つの第１の孔又は通路と、洗浄液を上記区画室に導くために、上記本体の表面から上記区画室へと流体連通している少なくとも１つの第２の孔又は通路と、で構成される。
【００１２】
この第２の孔は、本体の大きさに比べて比較的小さく、好ましくは、全通路の断面積が約５０ｃｍ２以下、より好ましくは約４５ｃｍ２以下、より好ましくは４０ｃｍ２以下、より好ましくは３５ｃｍ２以下、より好ましくは３０ｃｍ２以下、より好ましくは２０ｃｍ２以下、より好ましくは１５ｃｍ２以下、そして、最も好ましくは１０ｃｍ２以下にするべきである。
【００１３】
本発明のブラシの好ましい実施例において、上記絞り手段は、逆止弁による手段からなる。好ましくは、上記絞り手段は、上記第２の孔の内側の開口よりも大きなサイズのゴムなどの弾性材料の板で構成されていて、上記弾性材料の一方の縁が、上記区画室の内壁の上記開口に取り付けられているものである。従って、上記板は、力のかけられていない状態で上記開口を実質的に覆う。これは、洗浄液を貯めてある容器に該ブラシを浸すことにより、区画室を自動的かつ迅速に洗浄液で満たし、かつ、第１の孔から洗浄液がこぼれることを防止する簡単かつ効果的な方法である。
【００１４】
あるいは、上記絞り手段は、上記第２の孔の内側の開口よりも大きなサイズの板であって、洗浄液を上記第２の孔から上記区画室へ流す第１状態と、洗浄液が上記の第２の孔を通って上記区画室の外へ流れるのを禁止又は阻止する第２状態との間で、軸回りに回転するようになっているものであってもよい。
【００１５】
更には、上記絞り手段は、上記第２の孔に設けたボール・弁座タイプの逆止弁であってもよい。
【００１６】
本発明によるブラシの好ましい実施例において、本体は、上記第１の孔を介して区画室に洗浄液が流入する際に、上記区画室から空気を出す、少なくとも１つの第３の孔又は通路を備えている。上記本体は、好ましくは、区画室に空気が入り込むのを妨げ、又は、禁止するために、内側流れ絞り手段を有する。これにより、洗浄液が上記第２の孔から流出する際、区画室の内部の圧力は低下した状態になる。更に／又は、上記本体は、好ましくは、上記第３の孔から洗浄液が流れ出ないようにする外側流れ絞り手段を有する。
【００１７】
これにより、内部の圧力が基準値以上になり区画室に洗浄液が入り込むことが妨げられるということが無くなる。というのは、第３（通風）孔又は通路を介して空気が通るためであり、更には、洗浄液が上記第３（通風）孔から流れ出すのを妨げ又は禁止することにより、使用者の手や衣服が濡れるのを防ぐことができる。更に、洗浄液の単位時間当たりの排出量は、上記第３の孔の内部又は近くに設けられている内側流れ絞り手段により低減される。これにより、ブラシ用剛毛への洗浄液の排出を洗浄作業と同時に行うことができる期間を長くすることができる。上記内側流れ絞り手段は、上記第２の孔の絞り手段に用いたような逆止弁であっても良い。
【００１８】
好ましくは、上記複数の第１の孔又は通路は、上記第１表面部分の面積における上記第１の孔又は通路の外側開口の面積が、上記第１表面部分の境界から内側になるにつれて増加するような、大きさに作られ、かつ、配置されている。これにより、洗浄液のほとんどがブラシ用剛毛の境界から離れた位置から排出される。従って、洗浄剤が、ブラシ用剛毛の表面の境界に沿って流れるだけでなく、ブラシ用剛毛の洗浄効果を有効に利用することができる。
【００１９】
上記洗浄液がブラシ用剛毛に絡み効果的な洗浄が行えるように、ブラシ用剛毛の表面に洗浄液を排出するため、上記ブラシ用剛毛や毛髪を房状に配置すると共に、上記第１の孔又は通路の外側開口を、上記房の中又は近くに配置しても良い。これにより、洗浄液は、ブラシ用剛毛の房の中に排出され、ブラシ用剛毛から洗浄面へと流れ落ちる。
【００２０】
好ましくは、上記房は、中央通路をその中に囲んでいるニップルやブッシングの環状隙間に、該房の一端が固定されても良い。上記ニップルやブッシングは、上記中央通路を通って区画室から洗浄液が排出されるように、上記第１の孔又は通路の外側開口に設けられている。これにより、上記毛状体への特に効果的な洗浄液の排出を、高品位な制御が可能で、かつ、ブラシ表面にブラシ用剛毛を確実に固定できる手法により、実現することができる。
【００２１】
本発明の別の実施例では、ブラシは、石鹸や合成洗剤等の、クレンジング液、クレンジングペースト、又は、クレンジングパウダーといった追加材料を、好ましくは、洗浄液を収容している区画室に、連続して又は断続的に排出する、排出手段を、更に備えている。これにより、洗浄作業を効果的かつ簡単に実行することができる。
【００２２】
好ましくは、上記排出手段は、上記追加材料を収容するために、柔軟で圧縮可能な容器である。上記ブラシは、上記排出手段を受け入れるための凹部又はくぼみを有する。上記くぼみ又は凹部は、好ましくは、上記ブラシの房の１つの近くで、上記区画室の内部、又は、上記ブラシの外部に連通している。
【００２３】
本発明は、更に、上述したのと同様の本体であって、ブラシに着脱可能に取り付けることができる本体に関する。
【００２４】
本発明は、以下、本発明のブラシの種々の実施例について示されている添付の図面を参照することにより、詳しく説明される。
【００２５】
図１は、本発明の第１の好ましい実施例の概略正面図であって、一部分の断面を示す図である。
【００２６】
図２は、図１のブラシの底面図である。
【００２７】
図３は、図１のブラシを洗浄液に沈めた状態における、該ブラシの一部分の断面を示す図である。
【００２８】
図４は、洗浄液を排出する孔に取り付けられたブラシ用剛毛の房の本発明に係る実施例について、部分的に拡大して表した図である。
【００２９】
図５は、液体排出容器を取り付けるための凹部を有する、本発明のブラシの第２実施例の概略正面図であって、一部分の断面を示す図である。
【００３０】
図６は、図５に示したブラシに用いる液体排出容器の概略を拡大して表す図である。
【００３１】
図７は、標準のブラシに取り付けられる着脱可能な容器を有する第３実施例の概略正面図である。
【００３２】
図１，図２に示すとおり、ブラシは参照番号１で示す。該ブラシ１は、ハンドル２と、水や洗剤の溶液等の洗浄液を収容するために内側に区画室４を有する本体３と、本体３の実質的に平らな部分６に取り付けられているブラシ用剛毛や毛髪の多くの房とで構成されている。
【００３３】
孔又は通路７は、図３に示すように、ブラシ１が洗浄液を貯めた容器の中に沈められると、区画室４に洗浄液が入り込むように、区画室４を周期の壁に連通している。上記洗浄液８は、矢印Ｒ１で示すように、孔７を通って区画室４に入り込む。
【００３４】
ゴムのような柔軟な材料からなる板やシート９は、洗浄液の貯蔵容器内の洗浄液８からの圧力が、柔軟な板を、図１に点線で、図３に実線で示す位置９ａにまで押し上げ、矢印Ｒ１で示すように洗浄液が通路７を通って区画室４に入れるように、孔又は通路７の内側開口の近くの位置１０において、区画室４の内部表面に取り付けられている。
【００３５】
ブラシ１が洗浄液の貯蔵容器から取り出されると、柔軟な板９は、図１に実線で示す状態に戻り、通路７の内側の開口を塞ぎ、区画室４内の洗浄液が通路７から流れ出ないようにする。
【００３６】
柔軟な板９は、このように、逆止弁、即ち一方向にのみ通過させる弁として機能し、ブラシ１が洗浄液８の貯蔵容器に沈められた際に、区画室４に洗浄液が入れるようにすると共に、ブラシ１が洗浄液の貯蔵容器から取り出され、例えば、自動車の表面、床やバスタブ等の洗浄面を、ブラシ１を用いて洗浄する際、区画室４から洗浄液が流れ出ないようにする。
【００３７】
ブラシ１が表面６を洗浄するのに適した位置、即ち、区画室４の洗浄液８の圧力が通路１１ａと通路１１ｂとから洗浄液を押し出すような位置に保持されると、区画室４を本体３の表面６に連通させる孔又は通路１１ａ，１１ｂは、洗浄液８を表面６に排出する。
【００３８】
図２に示すように、通路１１ａは、表面６の境界に近接する通路１１ｂよりも大きな直径を有している。このため、洗浄液は、上記境界から離れた領域により多く出力されることになる。この結果、洗浄液はブラシの房５の中央領域から排出され、これにより、洗浄液を最も効率よく利用することができる。
【００３９】
通路１１ａと通路１１ｂとは、表面６の全体に設ける他、より多くの洗浄液が表面６の縁よりも中央領域から排出されるような他の方法により設けても良い。
【００４０】
通風孔又は通路１２は、区画室４内の通路７から最も離れている位置に設けられている。図３の矢印Ｒ２で示すように、区画室４に洗浄液８が入ると、通風孔１２は、区画室４から空気を排出する。洗浄液８が通路１１ａと通路１１ｂとから出力される際、通風孔又は通路１２は、図３の矢印Ｒ２と反対の向きに、区画室４に空気を取り入れる。
【００４１】
これにより、基準値を超えた過剰な圧力状態又は基準値に満たない少ない圧力状態が、区画室４内に形成されることを避け、区画室への洗浄液の注入と排出の流れが、上記基準値を超えた過剰な圧力状態、又は、基準値に満たない少ない圧力状態により妨げられないようにする。
【００４２】
しかし、通風孔又は通路１２の内部又は近くに、例えば、上述した逆止弁等の絞り弁を設けることにより、区画室４内に少ない圧力状態又は真空状態が形成され、区画室４への空気の流れを抑えることができる。これにより、通路１１ａと通路１１ｂとを流れる洗浄液の流量が減少するため、ブラシ用剛毛５と洗浄液とを一緒に排出しうる期間を延ばすことができる。該効果は、通路１２の外側開口を、洗浄作業中、使用者の指により塞ぐことのできるハンドルの位置に設けることによっても得ることができる。上記開口を指で塞ぐことにより、通風孔１２を通って区画室４へ空気が流れ込むことを妨げることができる。
【００４３】
通路１２を通って洗浄液が流出し、使用者の腕や衣類が濡れるのを防ぐため、隔壁１２ａのように、洗浄液が通路１２へ流れ込むのを妨げる物を用意しても良い。上記隔壁１２ａには、区画室４に空気を通すと共に、通路１２から洗浄液が流出するのを防ぐ通風孔１２ｂが設けられている。
【００４４】
複雑な機構や逆止弁のような別の手段を、通路１２のような通風手段を通って洗浄液が流出するのを防ぐ手段として用いても良い。
【００４５】
図１には、本体３の前部分の通路１３内に設けられる、逆止弁の別の実施例が示されている。上記通路１３内では、硬い板部材１４が旋回軸１５に取り付けられていて、ブラシが洗浄液の貯蔵容器に沈められた場合、板部材１４は、図１において反時計回りに回転して、通路１３を解放する。他方、区画室４が洗浄液８で満たされていて、板９が通路１３の近くの内側の面を塞いでいる状態で、ブラシが使用された場合、板部材１４は、図１において時計回りに回転し、通路１３を遮断して区画室から洗浄液が流出しないようにする。
【００４６】
例えば、ボール・弁座タイプの逆止弁を、孔７，１３又は通路１２に対応する逆止弁として用いることができる。また、複雑な機構は、この点に関して利用する価値がある。
【００４７】
図４に示すように、ニップルやブッシング１６は、環状隙間１７を有する。該環状隙間１７には、ブラシ用剛毛の房５の一端が差し込まれ、固定されている。上記ニップルやブッシング１６は、区画室４を表面６に連通させる孔又は通路１８に設けられている。洗浄液８は、上記ニップルやブッシング１６の中央通路１９から排出される。洗浄液８は、該洗浄液がブラシ用剛毛の房５に沿って流れ落ちるように、中央通路１９を通って排出される。これにより、洗浄液は、洗浄面に効果的に排出される。
【００４８】
該効果は、また、本体３に従来技術により固定されている毛の房５のまん中又は近くに孔１１ａ，１１ｂを開ける（穿孔する）ことによっても得ることができる。この場合、上記孔１１ａ，１１ｂは、ブラシ用剛毛の房の幾つかを除去することになる。該実施例は、簡単で安価に製造することができるが、必要なブラシ用剛毛の房の幾つかが、除去されてしまうという欠点もある。
【００４９】
ブラシは、他の種々の用途、例えば、床を磨くための磨きブラシとして設計しても良い。この場合、ハンドル部分を長くし、区画室へ洗浄液を入れるための孔を、本体の上面に設ける。この場合、洗浄液の出力する孔が本体の上面に設けられ、かつ、磨きブラシが、水平位置で単独で用いられることが多いため、上記孔に逆止弁手段を設けても良い。
【００５０】
同様に、本発明の範囲内において、ブラシは、場合によっては、スポンジ状の本体に結合されたり、置き換えられたりしている表面６、又は、本体３の近くの表面６に、繊維（モップ）や布地の複数の細長い片を設けた他の磨き手段に、置き換えることができる。
【００５１】
区画室４は、ハンドルと、ブラシ用剛毛を有する表面６との関係から、種々の方法で設けることができ、上記区画室４の位置と構成は、ブラシの用途に応じて特定される。
【００５２】
図５，６を参照すると、図１，２のブラシは、図５に点線で示すように、容器２１（図６）を収容するための凹部２０を、ハンドル２内に設けている。上記容器２１は、固形石鹸、合成洗剤、防虫剤、その他のクレンジング剤等の第２の洗浄剤を、凹部２０に区画室４を連通する通路２３に差し込まれているノズル２２を介して排出するためのものである。
【００５３】
容器２１の各壁、これらの壁の内、少なくとも上向きに凸状やドーム状になっている壁２４は、ゴムやポリエチレン等の柔軟な材料から構成されている。クレンジング液を収容している容器２１のドーム状の壁２４を指で押さえることにより、容器２１内から１又は２回分の使用量のクレンジング液が区画室４に押し出される。
【００５４】
液体石鹸やペースト状の石鹸等のクレンジング液の１回又は２回分の使用量を、ブラシの区画室４に排出するための排出手段は、石鹸を含むシリンダー内に設けられていて、凹部２０と同じような形状のピストン機構であって、指により上記排出作業が行えるものから構成される。
【００５５】
図７を参照すると、水等の洗浄液を収容する単体の容器２５は、図１のブラシの前面に用意した物と同様な逆止弁を有している。該逆止弁は、図１の実施例に示す通り、容器２５内部に水を入れることができるように旋回軸１５で軸回転可能な板部材１４を有する通路１３から構成されている。通風孔１２が、同様に設けられている。
【００５６】
容器２５は、ハンドル２９とブラシの房３０を有する通常のブラシ２８の底部の縁２７に、容器を取り付けるためのフック部材２６を備えている。細長い孔３０は、容器２５内の水を、ブラシ２８により洗浄する洗浄面全体に行き渡るように流し出すようになっている。
【００５７】
複数の取り付けフック部材２６は、容器２５に単体で取り付けることのできる他の取り付け手段、例えば、ブラシ２８の底面に沿ってブラシの房３０の間を通って延びるゴムバンドや、容器２５とブラシ２８の双方に取り付けて用いる、ベルクロホック（登録商標）やループ状の取り付け手段、又は、容器２５の底面に設けた１又は複数の突起物と該突起物をスライドさせて取り付けるブラシ２８の上面に設けた溝とでなる手段に代替させても良い。
【図面の簡単な説明】
【００５８】
【図１】本発明の第１の、好ましい実施例の概略正面図であって、一部分の断面を示す図である。
【図２】図１のブラシの底面図である。
【図３】図１のブラシを洗浄液に浸けた状態における、該ブラシの一部分の断面を示す図である。
【図４】洗浄液を排出する孔に取り付けられたブラシ用剛毛の房の本発明に係る実施例について、部分的に拡大して表した図である。
【図５】液体排出容器を取り付けるための凹部を有する、本発明のブラシの第２実施例の概略正面図であって、一部分の断面を示す図である。
【図６】図５に示したブラシに用いる液体排出容器の概略図を、拡大して表す図である。
【図７】標準のブラシに取り付けられる着脱可能な容器を有する第３実施例の概略正面図である。
【図１】
2005511181.tif 000003
【図２】
2005511181.tif 000004
【図３】
2005511181.tif 000005
【図４】
2005511181.tif 000006
【図５】
2005511181.tif 000007
【図６】
2005511181.tif 000008
【図７】
2005511181.tif 000009
【国際調査報告】
2005511181.tif 000010
2005511181.tif 000011
2005511181.tif 000012